(57)【特許請求の範囲】
【請求項１】
縦材と横架材とからなる建枠を多数起立して枠組足場を構成し、上記縦材間に配設される手摺枠の両端部に継手を設け、この継手を介して上記手摺枠を上記縦材に結合する枠組足場における手摺において、上記継手は挟持金具と楔とからなり、上記挟持金具は上記手摺枠と直交する方向に延びる水平な板状金具本体と、この金具本体の一端から下方に向けて延びて上記手摺枠の端部に結合した取付片と、上記金具本体の他端に一体に連設されて上記手摺枠と反対方向に向けて延びる板状の挟持片と、この挟持片に形成されて上記縦材の外周面の曲率と同じ曲率をなす湾曲面と、上記金具本体の軸線に対して任意の角度傾斜させながら当該金具本体に垂設したコ字状又はＵ字状に折り曲げたロッド体で形成した楔ガイドとで構成され、上記楔は楔本体と、この楔本体に形成されて上記建材外周面の曲率より小さい曲率をなす楔側湾曲面とで構成され、上記楔を上記楔ガイドに挿入して上記縦材を上記挟持片と上記楔とで挟持した時上記縦材の外周面に対して上記挟持片の湾曲面を線接触させると共に上記楔側湾曲面の両端部を２点接触させることを特徴とする手摺
【発明の詳細な説明】
【０００１】
【発明の属する技術分野】
本発明は枠組足場の支柱たる縦材に結合する継手を有する手摺に関する。
【０００２】
【従来の技術】
一般に支柱に対してこれと直交する方向に他の被取付部材を結合する際には被取付部材に設けたクランプ等からなる継手を介して結合している。
【０００３】
例えば、支柱たる縦材と横架材とからなる建枠を多数起立し、各建枠間に足場板を架設している枠組足場又は支保工においては長手方向に相隣する縦材間に手摺を設けているのが普通である。
【０００４】
そして、例えば、特開平８−１００５２１号公報に示すように、縦材につま先板を結合する場合、当該つま先板の端部にクランプを設けておき、このクランプを縦材に着脱させて行なっている。
【０００５】
【発明が解決しようとする課題】
上記公報に開示のクランプは縦材の外周を抱持する一対の弯曲した抱持片と一方の抱持片に着脱するボルトとナットとからなるのであるが、構造が複雑で組付性，加工性に劣り、縦材に対する着脱作業が面倒で作業性にも劣るという不具合がある。
【０００６】
同じく、上記公報に開示されている継手は一対の支持片を備えた断面コ字状の挾持金具と、支持片間に楔挿入孔を介して着脱自在に挿入した楔とからなり、挾持金具と楔とで縦材を挾持するものである。
【０００７】
この為、この継手においても挾持金具が嵩張り、楔挿入孔の加工性が面倒であり、その結果、構造が複雑で加工性に劣り、楔の着脱操作が面倒であるという不具合がある。
【０００８】
そこで、本発明の目的は、構造が簡単でシンプルであり、加工性，組付性が良く、着脱作業も容易で経済性にすぐれた継手を有する手摺を提供することである。
【０００９】
【課題を解決するための手段】
上記の目的を達成するため、本発明の手段は、  縦材と横架材とからなる建枠を多数起立して枠組足場を構成し、上記縦材間に配設される手摺枠の両端部に継手を設け、この継手を介して上記手摺枠を上記縦材に結合する枠組足場における手摺において、上記継手は挟持金具と楔とからなり、上記挟持金具は上記手摺枠と直交する方向に延びる水平な板状金具本体と、この金具本体の一端から下方に向けて延びて上記手摺枠の端部に結合した取付片と、上記金具本体の他端に一体に連設されて上記手摺枠と反対方向に向けて延びる板状の挟持片と、この挟持片に形成されて上記縦材の外周面の曲率と同じ曲率をなす湾曲面と、上記金具本体の軸線に対して任意の角度傾斜させながら当該金具本体に垂設したコ字状又はＵ字状に折り曲げたロッド体で形成した楔ガイドとで構成され、上記楔は楔本体と、この楔本体に形成されて上記建材の外周面の曲率より小さい曲率をなす楔側湾曲面とで構成され、上記楔を上記楔ガイドに挿入して上記縦材を上記挟持片と上記楔とで挟持した時上記縦材の外周面に対して上記挟持片の湾曲面を線接触させると共に上記楔側湾曲面の両端部を２点接触させることを特徴とするものである。
【００１０】
【発明の実施の形態】
以下、本発明の実施の形態を図にもとづいて説明するが、図５に示すように、本発明に係る手摺２は、縦材１と横架材とからなる建枠を多数起立してなる枠組足場にあって、長手方向に相隣する縦材１間に配設されて両端部に縦材１に結合する継手Ａを有してなる。
すなわち、継手Ａは、手摺２における水平な手摺枠２ａの端部に一体に結合され、縦材１を挾持することにより縦材１に対して手摺２を結合するようにしている。
【００１１】
この継手Ａは図１，図２に示すように、挟持金具３と楔７とからなっている。上記挟持金具３は上記手摺枠２ａと直交する方向に延びる水平な板状金具本体４と、この金具本体４の一端から下方に向けて延びて上記手摺枠２ａの端部に結合した取付片４ｂと、上記金具本体４の他端に一体に連設されて上記手摺枠２ａと反対方向に向けて延びる板状の挟持片５と、この挟持片５に形成されて上記縦材１の外周面の曲率と同じ曲率をなす湾曲面５ａと、上記金具本体４の軸線に対して任意の角度傾斜させながら当該金具本体４に垂設したコ字状又はＵ字状に折り曲げたロッド体で形成した楔ガイド６とで構成されている。
上記楔７は楔本体と、この楔本体に形成されて上記建材１の外周面の曲率より小さい曲率をなす楔側湾曲面７ｃとで構成され、上記楔７を上記楔ガイド６に挿入して上記縦材１を上記挟持片５と上記楔７とで挟持した時上記縦材１の外周面に対して上記挟持片５の湾曲面５ａを線接触させると共に上記楔側湾曲面７ｃの両端部を２点接触させるものである。
【００１２】
以下詳細に説明する。
挟持片５は、手摺枠２ａの端部に取付部４ｂを介して一体に連設される金具本体４から同軸に延設されて、内側の湾曲面５ａを縦材１の外周の一部に介装可能にし、楔７は、挟持片５の湾曲面５ａとの間に縦材１を挟持するとしている。
【００１３】
金具本体４と挾持片５とは一体な一枚の板材で成形されてシンプルな構造を採用している。
【００１４】
この板材からなる金具本体４の端部に手摺枠２ａを溶接等で結合しても良いが、図２に示すように金具本体４の外端に下方に向けて延びる取付片４ｂを一体に連設し、この取付片４ｂの外面に手摺枠２ａを結合しても良い。
【００１５】
手摺枠２ａに代えて、他の支柱、又はつま先板等の被取付部材を結合し、それぞれの用途に対応させても良いことは言うまでもない。
【００１６】
金具本体４と挾持片５とには図３に示すように、補強用のリブ又は膨出部４ａを形成するのが好ましい。
【００１７】
挾持片５の内側、すなわち、楔７に対向する側には、弯曲面５ａが形成され、同じく、楔７の内側任意の位置に他の弯曲面７ｃを形成し、これら弯曲面５ａ，７ｃを縦材１の外面に圧接して挾持している。
【００１８】
この場合、一方の弯曲面５ａの曲率は縦材１の曲率と同一にして両者を線接触させ、他方の楔側弯曲面７ｃは曲率を小さくして二点で点接触させているが、両者を線接触又は点接触させても良い。
【００１９】
楔ガイド６はコ字状又はＵ字状に折り曲げたロッド体からなり、このロッド体の両側脚部６ａの基端を金具本体４に挿入して溶接等で結合させ、脚部６ａ，６ａ間の隙間を介して楔７が挿入されるようになっている。
【００２０】
楔ガイド６は金具本体４の図１中で上下方向となる縦方向の軸線に対して同一の軸線で取付けても良いが、脚部６ａ，６ａに沿う軸線を金具本体４の軸線に任意の角度傾斜させ、これによって、図示するように、楔７を傾斜させて回転力を与えながら縦材１方向に打ち込むようにするのが好ましい。
【００２１】
これにより楔７自体は弯曲面７ａと二つの脚部６ａ，６ａの内面とで三点支持される。
【００２２】
楔７は公知のようにテーパ面を備えた本体７ａと本体７ａに一体に連設した傾斜片からなるガイド部７ｂとで全体がほぼくの字状に形成され、打ち込まれた時ガイド部７ｂに案内されながら縦材１の外面方向に侵入する。
【００２３】
図２に示すように、上記の実施の形態では挾持片５と楔７との高さが若干ずれているが、挾持片５の基端を図１中で下方となる縦材１側に折り曲げると共に、挾持片５と楔７とによる縦材１を挟持する高さ位置を、すなわち、レベルを一致させ、同一線上で縦材１を挾持させても良い。
【００２４】
手摺２を支柱、例えば縦材１に装着する場合、先ず、金具本体４と挾持片５を縦材１の外面に当接させておき、次いで楔７を楔ガイド６に打ち込むと、楔７が徐々に縦材１を押圧し、最終的には二つの弯曲面５ａ，７ａが縦材１の外面を押圧するから、これにより継手Ａ自体が縦材１に結合され、この継手Ａを介して手摺２が縦材１に直交して取付けられることになる。
【００２５】
【発明の効果】
この発明によれば、手摺の両端部に設けられる継手は、楔を打ち込むことにより挾持片と楔とで縦材からなる支柱を挾持し、結果的に継手を介して支柱に対して手摺を結合できる。
【００２６】
このとき、継手において、挾持金具は板状であるから、シンプルで加工性が向上し、経済性にすぐれる。
【００２７】
同じく楔ガイドを挾持金具に垂設してあるだけであるから、構造が簡単で、加工性，組付性が向上し、楔の着脱操作が容易であるから、継手自体の着脱作業が容易で作業性が向上し、経済性にもすぐれる。
【００２８】
同じく二つの弯曲面で支柱を挾持するから接触面積が大きく、挾持力の強化が図れる。
【００２９】
同じく楔ガイドの構造がシンプルとなり、加工性，組付性が向上し、経済性にすぐれる。
【００３０】
同じく楔を傾斜して回転力を与えながら挿入でき、楔の巾を小さくしても打ち込みストロークが少なくて済み、楔の打ち込み作業を容易にできる。
【００３１】
同じく挾持片とこれに対向する楔とで支柱を挾持でき、挾持片や楔に無理な荷重が作用せず、耐久性を向上できる。
【図面の簡単な説明】
【図１】  本発明の一実施の形態に係る手摺に設けられる継手の平面図である。
【図２】  図１における継手の正面図である。
【図３】  図１のＡ−Ａ線断面図である。
【図４】  楔の弯曲面部の一部拡大平面図である。
【図５】  縦材に対して手摺を取付けた状態の正面図である。
【符号の説明】
１  縦材
２  手摺
２ａ  手摺枠
３  挾持金具
４  金具本体
５  挾持片
５ａ，７ｃ  弯曲面
６  楔ガイド
６ａ  ロッド体
７  楔
Ａ  継手
【図１】
0004758567.tif 000002
【図２】
0004758567.tif 000003
【図３】
0004758567.tif 000004
【図４】
0004758567.tif 000005
【図５】
0004758567.tif 000006